(57)【要約】【課題】  戸閉している引き戸が戸開するときに、戸開開始前に出入口近くの乗客に警告が発せられるエレベーターの出入口装置を得る。【解決手段】  戸閉している引き戸２の制御装置による戸開開始前に、引き戸２、出入口１側縁部１４及び出入口１下縁部１５にそれぞれ設けられた視覚警報手段８、振動警報手段１１がそれぞれ動作する。これによって、エレベーターの乗客が出入口１近くであって戸開する引き戸２に引き込まれる恐れのある場所にいる場合に、視覚警報手段８及び振動警報手段１１によって引き戸２の戸開動作開始前に、乗客に引き戸２の戸開が警告されることにより乗客が出入口１から離れる。  これによって、出入口１近くいる乗客、特に幼児や、視覚障害者が、引き戸２の戸開時に指先等を引き戸２と出入口１縁部との隙間に引き込まれることを未然に防止する。【選択図】        図１
2005075605.tif 000002
【特許請求の範囲】
【請求項１】
出入口に設けられてドアー開閉装置によって水平方向に動作し、上記出入口を開閉する引き戸と、要時に上記ドアー開閉装置に戸開動作を指令する制御装置と、上記出入口の側縁部に設けられて上記制御装置による上記引き戸の戸開開始前に付勢される視覚警報手段及び振動警報手段と、上記引き戸に設けられて上記制御装置による上記引き戸の戸開開始前に付勢される視覚警報手段及び振動警報手段と、上記出入口の側縁部寄りの下縁部に設けられて上記制御装置による上記引き戸の戸開開始前に付勢される視覚警報手段及び振動警報手段とを備えたエレベーターの出入口装置。
【請求項２】
制御装置による上記引き戸の戸開開始前に付勢される聴覚警報手段を備えたことを特徴とする請求項１記載のエレベーターの出入口装置。
【発明の詳細な説明】
【技術分野】
【０００１】
この発明は、出入口に設けられてドアー開閉装置によって水平方向に開閉動作する引き戸が配置されたエレベーターの出入口装置に関する。
【背景技術】
【０００２】
従来のエレベーターの出入口装置においては、エレベーターの乗客が出入口の側縁部に引き戸に近づいたときに動作する光電装置が設けられ、また乗客が引き戸に触れたときに動作する感知センサーが設けられる。そして、光電装置及び感知センサーが動作したときに制御装置が動作してオートアナウンス装置及び警報ランプが付勢される。これによって、戸閉している引き戸の戸開時に乗客が指先等を、引き戸と出入口縁部との隙間に引き込まれることを防ぐように構成されている。（例えば、特許文献１参照）。
【０００３】
【特許文献１】特開平８−４０６７７号（公開特許公報フロントページ）
【発明の開示】
【発明が解決しようとする課題】
【０００４】
従来のエレベーターの出入口装置では、出入口付近が混雑する場合に引き戸に寄り掛かっている乗客によって光電装置及び感知センサーが動作して、制御装置によってオートアナウンス装置及び警報ランプが付勢される誤動作が発生するという問題点があった。
【０００５】
この発明は、かかる問題点を解消するためになされたものであり、戸閉している引き戸が戸開するときに、戸開開始前に出入口近くの乗客に警告が発せられるエレベーターの出入口装置を得ることを目的とする。
【課題を解決するための手段】
【０００６】
この発明に係るエレベーターの出入口装置においては、出入口に設けられてドアー開閉装置によって水平方向に動作して出入口を開閉する引き戸と、要時にドアー開閉装置に戸開動作を指令する制御装置と、出入口の側縁部に設けられて制御装置による引き戸の戸開開始前に付勢される視覚警報手段及び振動警報手段と、引き戸に設けられて制御装置による引き戸の戸開開始前に付勢される視覚警報手段及び振動警報手段と、出入口の側縁部寄りの下縁部に設けられて制御装置による引き戸の戸開開始前に付勢される視覚警報手段及び振動警報手段とが設けられる。
【発明の効果】
【０００７】
この発明によるエレベーターの出入口装置は、戸閉している引き戸の制御装置による戸開開始前に、引き戸、出入口の側縁部及び出入口の下縁部にそれぞれ設けられた視覚警報手段、振動警報手段がそれぞれ動作する。これによって、エレベーターの乗客が出入口近くであって戸開する引き戸に引き込まれる恐れのある場所にいる場合に、エレベーターの乗客に視覚警報手段及び振動警報手段による引き戸の戸開動作開始前における引き戸の戸開警告によって乗客が出入口から離れる。
【０００８】
したがって、出入口近くいるエレベーターの乗客が、引き戸の戸開時に指先等を引き戸と出入口縁部との隙間に引き込まれることを未然に防止する効果がある。また、このような視覚警報手段及び振動警報手段の動作によって、小児や、視覚障害者に対して特に有効な引き込まれ防止作用を得る効果がある。
【発明を実施するための最良の形態】
【０００９】
実施の形態１．
図１〜図４は、この発明の実施の形態を示す図で、図１は出入口の透視図、図２は図１のＡ−Ａ線断面図、図３は図１のＢ−Ｂ線断面図、図４は図１のエレベーターの出入口装置の電気機器の接続を示す図である。図において、出入口１に引き戸２が設けられてドアー開閉装置４によって水平方向に動作して出入口を開閉する。そして、制御装置３によって要時にドアー開閉装置４に戸開動作が指令される。
【００１０】
また、光透過材５の裏面側に光源装置６が設けられ、また光透過材５に図形的表現による警報標識７が標示され視覚警報手段８が形成されて制御装置３に接続される。さらに、振動装置９に振動伝播材１０が設けられて振動警報手段１１が形成され制御装置３に接続される。また、出入口１縁部に設けられたスピーカからなる音響装置１２を有する聴覚警報手段１３が制御装置３に接続される。
【００１１】
そして、視覚警報手段８及び振動警報手段１１が、引き戸２の戸閉時における出入口１の側縁部１４寄り位置、出入口１の側縁部１４、出入口１の床面、すなわち出入口１の側縁部１４寄りの下縁部１５にそれぞれ設けられる。なお、視覚警報手段８及び振動警報手段１１の両者を組み合わせた場合には、上記両者が一体化された装置として装備される。なお、図１〜図４に示すエレベーターの出入口装置は、エレベーターのかご出入口、乗場出入口のいずれにも適用することができる。
【００１２】
上記のように構成されたエレベーターの出入口装置において、制御装置３によって要時にドアー開閉装置４に引き戸２の開閉が指令される。これにより、引き戸２が水平方向に動作して出入口１を開閉する。また、引き戸２が戸閉しているときに制御装置３から戸開が指令されると、戸開動作指令後における引き戸２の戸開開始前に制御装置３によって視覚警報手段８、振動警報手段１１及び聴覚警報手段１３が付勢される。
【００１３】
これによって、視覚警報手段８が動作して光源装置６が点灯、又は点滅して光透過材５の警報標識７が照明される。また、振動警報手段１１が動作して振動伝播材１０が振動する。さらに、聴覚警報手段１３が動作して音響装置１２から例えば「戸が開きます」「戸から離れてください」「扉に引き込まれないように注意ください」等の警告メッセージがアナウンスされる。
【００１４】
このように戸閉している引き戸２の戸開開始前に、引き戸２、出入口１の側縁部１４及び出入口１の下縁部１５にそれぞれ設けられた視覚警報手段８、振動警報手段１１がそれぞれ動作する。また、聴覚警報手段１３が動作して音響装置１２から警告メッセージがアナウンスされる。これによって、エレベーターの乗客が出入口１近くであって戸開する引き戸２に引き込まれる恐れのある場所にいる場合に、視覚警報手段８、振動警報手段１１及び聴覚警報手段１３によって引き戸２の戸開動作開始前に、引き戸２の戸開がエレベーターの乗客に警告されるので乗客が出入口１から離れる。
【００１５】
したがって、出入口１近くいるエレベーターの乗客が、戸閉している引き戸２の戸開時に指先等を引き戸２と出入口１縁部との隙間に引き込まれること未然に防ぐことができる。また、このような視覚警報手段８、振動警報手段１１及び聴覚警報手段１３の動作は、幼児や、視覚障害者に対して特に有効な引き込まれ防止作用を得ることができる。なお、視覚警報手段８の動作として、フラッシュライトが点灯するものとしたり、また点滅するようにしたり、さらに発光色を赤色、橙色等の警告色とすることによって有効な警報作用を得ることができる。
【００１６】
実施の形態２．
図５は、この発明の他の実施の形態を示す図で、前述の図１における視覚警報手段の警報標識に相当する図である。なお、図５の他は前述の図１〜図４の実施の形態と同様にエレベーターの出入口装置が構成される。図において、図１〜図４と同符号は相当部分を示し、視覚警報手段８の光透過材５に言語表現による「開く扉にご注意ください」からなる警報標識１６が設けられる。
【００１７】
図５の実施の形態においても、制御装置３から戸開が指令されると、戸開動作指令後における引き戸２の戸開開始前に制御装置３によって視覚警報手段８、振動警報手段１１及び聴覚警報手段１３が付勢される。したがって、詳細な説明を省略するが図５の実施の形態においても図１〜図４の実施の形態と同様な作用が得られる。
【００１８】
実施の形態３．
図６は、この発明の他の実施の形態を示す図で、前述の図１における視覚警報手段の警報標識に相当する図である。なお、図６の他は前述の図１〜図４の実施の形態と同様にエレベーターの出入口装置が構成される。図において、図１〜図４と同符号は相当部分を示し、視覚警報手段８の光透過材５に言語表現による「ＣＡＵＴＩＯＮ」からなる警報標識１７が設けられる。
【００１９】
図６の実施の形態においても、制御装置３から戸開が指令されると、戸開動作指令後における引き戸２の戸開開始前に制御装置３によって視覚警報手段８、振動警報手段１１及び聴覚警報手段１３が付勢される。したがって、詳細な説明を省略するが図６の実施の形態においても図１〜図４の実施の形態と同様な作用が得られる。
【図面の簡単な説明】
【００２０】
【図１】この発明の実施の形態１を示す図で、出入口の透視図。
【図２】図１のＡ−Ａ線断面図。
【図３】図１のＢ−Ｂ線断面図。
【図４】図１のエレベーターの出入口装置の電気機器の接続を示す図。
【図５】この発明の実施の形態２を示す図で、前述の図１における視覚警報手段の警報標識に相当する図。
【図６】この発明の実施の形態３を示す図で、前述の図１における視覚警報手段の警報標識に相当する図。
【符号の説明】
【００２１】
１  出入口、２  引き戸、３  制御装置、４  ドアー開閉装置、８  視覚警報手段、１１  振動警報手段、１３  聴覚警報手段、１４  側縁部、１５  下縁部。
【図１】
2005075605.tif 000003
【図２】
2005075605.tif 000004
【図３】
2005075605.tif 000005
【図４】
2005075605.tif 000006
【図５】
2005075605.tif 000007
【図６】
2005075605.tif 000008